(57)【特許請求の範囲】
【請求項１】
浴槽から浴水を取り込んで、所定の浄化処理を行い、且つ必要に応じて浴水の加熱を行い、該処理済みの浴水を浴槽に戻す浄化装置本体と、
該浄化装置本体と浴槽とを連結する浄化装置本体外部に設けられた入水用と出水用の２つの外部配管と、
該外部配管間に設けられたバイパス管と、
浄化装置本体から浴槽への出水用の外部配管に設けられ、該浴水の温度が所定の温度以上の時に浄化装置本体からの出水を浴槽側からバイパス管側に切り替える機械式バルブと、
前記浄化装置本体の循環水の温度を計測する内部温度センサと、
前記機械式バルブにおいて前記所定の温度以上となる所定の熱洗浄温度まで浴水の加熱を浄化装置本体において行わせ、該所定の熱洗浄温度の浴水を浄化装置本体内及び前記外部配管とバイパス管内を循環させて熱洗浄を行わせる制御装置と、
該熱洗浄の際に、前記内部温度センサからの検出値に基づいて、前記機械式バルブの動作の適否を判定する判定装置と、
を備えたことを特徴とする浴水浄化装置。
【発明の詳細な説明】
【０００１】
【発明の属する技術分野】
この発明は、浴水浄化装置に関する。
【０００２】
【従来の技術】
浴槽の浴水を取り込んで浄化し、且つ所定の温度に加温して、循環させる浴水浄化装置が広く使用されている。この浴水浄化装置には、浴室内に設置するものと、室外に設置し、外部配管により装置本体と浴槽を接続する形式のものとがある。
また、近年浄化装置内部に高温水を循環させて内部の熱洗浄を行える機能を備えたものも市販されている。
【０００３】
【発明が解決しようとする課題】
上記した外部配管を備えた浴水浄化装置において、浴水浄化装置だけではなく、外部配管も含めて熱洗浄を行わせるために外部配管の入水側と出水側にバイパス管を設けて、該バイパス管を通じて循環させることが検討されている。この場合、バイパス管に浴水を流すために切り替えバルブが必要であるが、この切り替えバルブとして浴水の温度により自動的に切り替わる機械式バルブを使用することが検討されている。このような機械式バルブは装置からの制御が不要であり、装置本体との電気的な接続が必要ない等の利点がある。
しかし、反面このような機械式バルブの開閉状態が把握できず、故障や不具合が生じてもこれを検出できないという問題がある。
本発明は上記従来技術の欠点を改善することを目的とする。
【０００４】
【課題を解決するための手段】
上記目的を達成するために、本発明の浴水浄化装置は、浴槽から浴水を取り込んで、所定の浄化処理を行い、且つ必要に応じて浴水の加熱を行い、該処理済みの浴水を浴槽に戻す浄化装置本体と、該浄化装置本体と浴槽とを連結する浄化装置本体外部に設けられた入水用と出水用の２つの外部配管と、該外部配管間に設けられたバイパス管と、浄化装置本体から浴槽への出水用の外部配管に設けられ、該浴水の温度が所定の温度以上の時に浄化装置本体からの出水を浴槽側からバイパス管側に切り替える機械式バルブと、前記浄化装置本体の循環水の温度を計測する内部温度センサと、前記機械式バルブにおいて前記所定の温度以上となる所定の熱洗浄温度まで浴水の加熱を浄化装置本体において行わせ、該所定の熱洗浄温度の浴水を浄化装置本体内及び前記外部配管とバイパス管内を循環させて熱洗浄を行わせる制御装置と、該熱洗浄の際に、前記内部温度センサからの検出値に基づいて、前記機械式バルブの動作の適否を判定する判定装置と、を備えたことを特徴とする。
【０００５】
【発明の実施の形態】
以下本発明の実施の形態を図面に基づいて説明する。
図１において、制御装置１はマイクロコンピュータを主体に構成されており、浄化装置全体の制御を行っている。制御装置１はポンプＰ、ヒータＨ、切替バルブＶ１、切替バルブＶ２を制御して、所定の動作を行わせるように構成されている。また、内部温度センサ３からの検出温度を入力し、該検出温度に基づいて制御を行うようになっている。更に操作パネル２から操作指令を入力して、所定の操作を実行させるように構成されている。
【０００６】
図２において、本体装置Ｘは外部配管５を介して浴槽Ｙと接続され、浴槽Ｙ内の浴水を浄化して循環するように構成されている。本体装置Ｘには外部配管５に連通する内部配管６が設けられ、該内部配管６上に設けられたポンプＰにより浴水を循環させるようになっている。ポンプＰの次にはヒータＨが設けられ、浴水を所定の温度に加温し、ついで濾過タンクＴにおいて浄化して内部温度センサ３、切替バルブＶ１、切替バルブＶ２、及びメカ式バルブＭ・Ｂを介して浴槽Ｙに循環するように構成されている。
【０００７】
外部配管５は浴槽Ｙから浴水を吸引する入水側の外部配管５ａと浴槽Ｙに浴水を供給する出水側の外部配管５ｂを有し、該外部配管５ａと外部配管５ｂとはバイパス管７により連結され、熱洗浄の際には、このバイパス管７を通って高温の浴水が循環するように構成されている。
外部配管５ｂとバイパス管７の接続部にはメカ式バルブＭ・Ｂが設けられており、このメカ式バルブＭ・Ｂにより浴水を浴槽Ｙまたはバイパス管７へ選択的に供給するようになっている。
メカ式バルブＭ・Ｂは、内部に形状記憶合金やバイメタル等の熱感応式の素子が組み込まれており、所定温度以上の浴水に接触すると、浴槽Ｙ側からバイパス管７側へ浴水の流路を切り替え、また所定温度以下の浴水に接触すると、逆にバイパス管７側から浴槽Ｙ側へと流路を切り替えるように構成されている。
【０００８】
図２により各モードについて説明する。
(Ａ)は通常の浄化モードの状態を示すもので、浴水は浴槽ＹからポンプＰ、ヒータＨ、濾過タンクＴ、内部温度センサ３、切替バルブＶ１、切替バルブＶ２、メカ式バルブＭ・Ｂを経由して浴槽Ｙに戻る循環を行うようになっている。
（Ｂ）は本体装置Ｘ熱洗浄を行う際の当初のモードである内部循環モードを示すもので、切替バルブＶ１を切り替えて、ポンプＰ、ヒータＨ、濾過タンクＴ、内部温度センサ３、切替バルブＶ１、バイパス管８、ポンプＰ間で循環を行わせながら、ヒータＨにより所定温度まで浴水を加熱するようになっている。
該所定温度は、制御装置１により内部温度センサ３の温度を検出して設定されるように構成されている。
【０００９】
（Ｃ）は外部配管５も含めて全体を熱洗浄する全水系循環モードを示しており、ヒータＨにおいて所定の温度まで加熱された高温水は濾過タンクＴ、内部温度センサ３、切替バルブＶ１、切替バルブＶ２、メカ式バルブＭ・Ｂ、ポンプＰ、ヒータＨという経路を循環し、全体の熱洗浄を行うようになっている。メカ式バルブＭ・Ｂは前記した様に、所定温度以上の浴水が来ると、浴槽Ｙ側との接続を断ち、バイパス管７側に接続し、これにより矢印で示す循環が行われ、熱洗浄が行われる。
【００１０】
（Ｄ）は排水モードを示すもので、熱洗浄が終了したら切替バルブＶ２を図示のように切り替えて排水管１０から循環して内部及び外部配管５を洗浄した高温の浴水を排出する。その後、再び浴水を循環すれば、メカ式バルブＭ・Ｂは温度の低い浴水に接触してバイパス管７から浴槽Ｙ側へ切り替わり、（Ａ）の通常の浄化モードに戻る。
【００１１】
制御装置１は熱洗浄に際して、メカ式バルブＭ・Ｂが正常に動作しているか否かを、内部温度センサ３からの浴水の温度を検出することによりチェックするように構成されている。
即ち、熱洗浄においては、（Ｃ）に示すように高温に熱せられた浴水が装置内部を回って、外部配管５ｂからバイパス管７を通って外部配管５ａを経由して装置に戻るため、内部温度センサ３により検出される浴水の温度は加温温度から温度降下を見込んだ所定温度に維持されているはずである。これ以下の温度の場合、メカ式バルブＭ・Ｂが正常に機能せず、高温の浴水が浴槽Ｙに流入し、温度の低い浴槽Ｙの浴水が還流している可能性がある。
従って、内部温度センサ３により検出される浴水の温度をチェックすることによりメカ式バルブＭ・Ｂの動作状態を把握できる。また、この実施形態では更にヒータＨにより加温しつつ内部温度センサ３の温度をチェックし、浴水温度の上昇が所定時間内になされたか否かを見ることにより更に正確な動作状態の検出を行っている。
【００１２】
図３にこの動作を示す。
図２の（Ｂ）に示すように切替バルブＶ１をバイパス管８側に切り替えて装置本体内のみで浴水を循環し（ステップＳ１）、ヒータＨを駆動して所定の温度Ｔ１になるまで加温を行う（ステップＳ２、３）。
温度Ｔ１に達したら加温を停止し（ステップＳ４）、図２の（Ｃ）に示すように開ループとして外部配管５も含めて高温水を循環させる（ステップＳ５）。この時、制御装置１は内部温度センサ３からの温度が所定の温度Ｔ２以上であるか否かチェックする（ステップＳ６）。この温度Ｔ２は上記Ｔ１より温度降下を見込んだ分低い温度である。該温度Ｔ２以下の場合、メカ式バルブＭ・Ｂは異常と判断する（ステップＳ１０）。ステップＳ６で所定温度Ｔ２以上であった場合、更に加温して（ステップＳ７）、所定時間ｔ１内に所定温度Ｔ３まで加温されたか否かチェックする（ステップＳ８、９）。所定時間ｔ１内に所定温度Ｔ３に達したら、メカ式バルブＭ・Ｂは正常と判断し（ステップＳ１１）、加温制御を終了する（ステップＳ１２）。所定時間ｔ１内に所定温度Ｔ３に達しない場合、メカ式バルブＭ・Ｂは異常と判断し（ステップＳ１０）、加温制御を終了する（ステップＳ１２）。
【００１３】
以上の構成によれば、電気的に制御装置１と接続されていないメカ式バルブＭ・Ｂの動作状態を知ることができ、不具合や故障などを検出することが可能になる効果がある。
【００１４】
【発明の効果】
以上説明したように本発明の浴水浄化装置によれば、メカ式バルブＭ・Ｂの状態を検出することが可能になり、安定した熱洗浄を行うことが可能になる等の効果がある。
【図面の簡単な説明】
【図１】本発明の一実施形態の制御機構を示す機能ブロック図。
【図２】本発明の一実施形態を示す模式図。
【図３】本発明の一実施形態の動作を説明するフローチャート図。
【符号の説明】
１：制御装置、２：操作パネル、３：内部温度センサ、５：外部配管、６：内部配管、７：バイパス管、８：バイパス管、１０：排水管、Ｘ：本体装置、Ｙ：浴槽、Ｐ：ポンプ、Ｈ：ヒータ、Ｖ：切替バルブ、Ｍ・Ｂ：メカ式バルブ、Ｔ：濾過タンク。
【図１】
0004132310.tif 000002
【図２】
0004132310.tif 000003
【図３】
0004132310.tif 000004